(57)【要約】【課題】商品封入用の袋体の裏面に有用情報の印刷を希望する印刷希望者の依頼を受けて印刷し、これを袋体を利用する利用者に渡し、袋体の有用利用により省資源化及び環境保全を図る有用情報印刷袋体の使用方法を提供する。【解決手段】配布者は印刷希望者の申し込みにより配布者の使用する袋体の裏面に有用情報を印刷する。配布者は商品販売時にこの袋体に商品を入れて利用者に渡す。利用者は袋体の有用情報のサービスを受ける。【選択図】図１
2005280843.tif 000002
【特許請求の範囲】
【請求項１】
裏面及び／又は表面に有用情報を印刷又は切り取り可能に印刷してなる袋体の使用方法であって、該方法は、前記袋体を配布する配布者と、該袋体に前記有用情報の印刷を希望する印刷希望者と、前記配布者から前記袋体を所得する利用者との間において、夫々が必要とする任意の前記有用情報を前記袋体に前記配布者側で印刷することを特徴とする有用情報印刷袋体の使用方法。
【請求項２】
前記配布者と前記印刷希望者とが同一であることを特徴とする請求項１に記載の有用情報印刷袋体の使用方法。
【請求項３】
前記配布者は、印刷希望者の必要とする前記有用情報を袋体に有料で印刷し、該袋体を前記利用者側に無料又は有料で配布することを特徴とする有用情報印刷袋体の使用方法。
【発明の詳細な説明】
【技術分野】
【０００１】
本発明は、主として裏面に種々の有用情報を印刷してなる袋体を、袋体の配布者と印刷希望者とその利用者との間において有効利用し、相互の利益向上に貢献し得ると共に、環境保全及び省資源に貢献し得る有用情報印刷袋体の使用方法に関する。
【背景技術】
【０００２】
一般に本や書類を入れる袋体の裏面は殆ど利用されず、袋体は内部の書類等を取り出した後は、不要物として廃棄されているのが現状である。そのため廃棄物の増大と、資源の有効利用に貢献せず、省資源の原則に反する問題点がある。
【０００３】
一方、袋体の裏面に諸々の印刷を施して袋体を有効利用する公知技術は多く存在はしている。例えば、「特許文献１」，「特許文献２」，「特許文献３」，「特許文献４」，「特許文献５」，「特許文献６」，「特許文献７」等が挙げられる。
【特許文献１】実用新案登録第３０４０８１２号（図１）
【特許文献２】特開２０００−２０３１７９号（図３）
【特許文献３】実用新案登録第３０２４２５０号（図１）
【特許文献４】特開２０００−１０９０９３号（図１）
【特許文献５】実開平１−１２８５３８号（第１図）
【特許文献６】特開平１１−３３４７４０号（図１）
【特許文献７】特開２００３−１２８０７９（図１）
【発明の開示】
【発明が解決しようとする課題】
【０００４】
「特許文献１」の実用新案登録第３０４０８１２号の「メーラー封筒」は、表，裏に広告商品を切り取り可能に印刷したシートを折畳んで封筒形成にした所謂メーラー封筒に関するものであり、書類等の収納を目的とする袋体ではなく、かつ印刷情報も専ら商品の広告宣伝に関するものである。また、「特許文献２」の特開２０００−２０３１７９号の「封書」は、複重に折畳んでその表面にお客の送り先を記載した封書であり、折畳まれている内面に割引券，優待券，サービス券を切り取り可能に印刷したものからなるが、前記のように複重に折畳まれたものであり、書類等を収納して配布する機能を有するものではない。また、「特許文献３」の実用新案登録第３０２４２５０号の「封筒等の袋体」は、書類等の収納可能の袋体であり、その一部に切り取り可能に書面を印刷しているものであり、以後に説明する本発明に類似するものではあるが、印刷されている書面は受領書の如きもので書類等の受領の有無を確認する機能のみ有するものであり、利用者全体にとって有用の情報、特にサービス情報を提供するものではない。また、「特許文献４」の特開２０００−１０９０９３号の「ミシン目付き封筒」は封筒に貼付されている切手のまわりにミシン目をつけたもので、切手収集者にとってメリットを有するものであるが、多くの利用者にサービスを供給するものではない。また、「特許文献５」の実開平１−１２８５３８号の「合成樹脂封筒」は、合成樹脂製や封筒本体の裏面に伝達用表示部が形成されるものである。一般に紙の封筒の場合は、そのまま廃棄されるが、合成樹脂製の封筒の場合は、封筒としての機能を終了した後にも、その裏面にメモ等を記入して有効使用が可能でありこれを利用したものであり、省資源に貢献するものであるが主に使用側のみに役立つものである。また、「特許文献６」の特開平１１−３３４７４０号の「簡易封筒」は、封筒の表面紙と裏面紙とを二つ折り可能に連設したものからなり、両面に動物や乗物等の絵図を印刷し、その絵図を切り取って立体化するようにしたものであり、使用者、特に子供が喜んで利用するようにしたものである。省資源と子供の発創教育に貢献することができるが、配布者等の関係者全体にメリットを有するものではない。また、特開２００３−１２８０７９号の「写真用ＤＰ袋」は写用用ＤＰを入れる袋の表裏面にＤＰＥの受付、処理帳票等が設けられると共に、広告表示部が設けることを特徴とするものである。これは主にその袋の配布者にとってメリットがあるものであり、本願のように関係者全体にメリットを有するものではない。
【０００５】
以上の公知技術としては夫々特徴を有するものであり、その印刷内容に夫々特徴があるが、後に説明する本願発明のように配布者、印刷希望者、利用者の３者に夫々メリットを有する機能を有するものではない。
【０００６】
本発明は、以上の事情に鑑みて発明されたものであり、袋体の配布者、袋体に有用情報の印刷を希望する印刷希望者、袋体を配布者から受け取って所得する利用者の夫々三者にとってメリットがあり、袋体が封筒としての機能終了後においても有効利用でき、省資源及び環境保全に貢献し得る有用情報印刷袋体の使用方法を提供することを目的とする。
【課題を解決するための手段】
【０００７】
本発明は、以上の目的を達成するために、請求項１の発明は、裏面及び／又は表面に有用情報を印刷又は切り取り可能に印刷してなる袋体の使用方法であって、該方法は、前記袋体を配布する配布者と、該袋体に前記有用情報の印刷を希望する印刷希望者と、前記配布者から前記袋体を所得する利用者との間において、夫々が必要とする任意の前記有用情報が前記袋体に前記配布者側で印刷することを特徴とする。
【０００８】
また、請求項２の発明は、前記配布者と前記印刷希望者とが同一であることを特徴とする。
【０００９】
また、請求項３の発明は、前記配布者は、印刷希望者の必要とする前記有用情報を袋体に有料で印刷し、該袋体を前記利用者側に無料又は有料で配布することを特徴とする。
【発明の効果】
【００１０】
本発明の請求項１の「有用情報印刷袋体の使用方法」によれば、まず、印刷希望者は、例えば、自己のＰＲや自己のサービス関連等に関する有用情報を袋体配布者に依頼することにより、自己の有用情報を配布者の袋体を介して利用者に伝えることができる。このため、印刷希望者は自分自信で特別の広告等をしなくても自己の必要とする情報を伝えることができる。一方、袋体を配布者から受理した利用者は、袋体の中味を取り出して使用した後、袋体に印刷されている印刷希望者の有用情報を利用してそのサービスを得ることができる。このため、袋体はそのまま廃棄されず有用利用される。このため、廃棄物が減少し、かつ省資源化が図れる。また、配布者は従来の袋体と異なる袋体を利用者に提供できるため、利用者の利用率の向上を期待することができる。
【００１１】
本発明の請求項２の「有用情報印刷袋体の使用方法」によれば、配布者が自分自身のＰＲができ、有効な広告、宣伝ができる。
【００１２】
本発明の請求項３の「有用情報印刷袋体の使用方法」によれば、配布者は印刷希望者から有用情報の掲載のための費用を得ることができ、メリットが生ずる。また、有用情報のある袋体を利用者へ配布するためのサービス費を得ることも可能である。
【発明を実施するための最良の形態】
【００１３】
以下、本発明の有用情報印刷袋体の使用方法の実施の形態を図面を参照して詳述する。本発明の詳細説明に先立って袋体の裏面を印刷される有用情報の数列を図１乃至図５により説明する。
【００１４】
図１に示すように、袋体１は表面２と裏面３とを一体的に連結すると共に封止片４を形成するものからなる。この表面２及び裏面３間には書類５の収納される空間６が形成されている。本実施例では裏面３に複数の有用情報の１つである印刷情報が形成されている。この印刷情報の内７ａ，７ｂ，７ｅには文字情報８ａ，８ｂ，８ｅとサービスの内容、例えば、割引き率等を示すサービス情報９ａ，９ｂ，９ｅが印刷されている。一方、７ｃ，７ｄ，７ｆには絵柄１０ｃ，１０ｄ，１０ｆと割引き率等のサービスの内容を示すサービス情報１１ｃ，１１ｄ，１１ｆが印刷されている。なお、前記の各印刷情報はミシン目１２により囲まれ、切り取り可能となる。以上のように、この袋体１は、この空間６内に収納されている書類５を取り出した後、ミシン目１２を切断し、必要とする印刷情報７ａ等を取り出せばよい。なお、この印刷情報７ａ等は、袋体１を利用者に配布することを業とする配布者と、情報を袋体１に印刷することにより自分の店等の宣伝，広告ができる印刷希望者との合意に基づき、形成されるものであり、その印刷情報の内容は多岐にわたり、その内容，形式，形態については全く自由である。以上により、袋体１は従来のように、書類５の取り出しの後に、すべて廃棄されるものではなく、有効利用され、かつ用済の時期まで大切に保管される。
【００１５】
図２に示す袋体１ａはミシン目１２で区画された複数個（図示では８個）の有用情報である印刷情報の一例を示すものである。例えば、Ａはサービス券、Ｂはクーポン券、Ｃは割引き券、Ｄは入場券、Ｅはチケット、Ｆは優待券、Ｇは名刺、Ｈは商品券等である。勿論、この内容は以上のものが限定するものではない。これ等の印刷情報の中で利用者が必要と思われるものをミシン目１２で切り取り、決められているサービスを受けることができる。勿論、この印刷情報を提供する印刷希望者は１つの店に限る場合は少なく、複数の店からの提供が必要であるが、これ等の提供店は袋体１にその印刷情報を提供することにより袋体１を使用する利用者から喜ばれ、結果として大きな宣伝効果を得ることができる。
【００１６】
図３の袋体１ｂは各種の印刷情報ａ，ｂ，ｃ，ｄ，ｅ，ｆを有するものであるが、これ等のサイズが異なる実施例を示すものである。印刷情報は単一のサイズでＯＫの場合もあるが、一般にはその内容によりサイズが異なる。これを無理に同じサイズにすることは有効なサービス情報を提供しにくい場合が多く、サイズを変えることによりその印刷情報のもつ効果を十分に発揮させることができる。
【００１７】
図４は袋体１ｃに各種の各画のコピー１３を印刷するものであり、これにより簡便な壁画として利用できる。また、地図や交通案内、時刻表、カレンダを印刷することにより、効果的な再利用が可能になり、利用者に喜ばれるものとなる。
【００１８】
図５は図４に示した各画のコピー１３等の印刷情報を立体印刷にした袋体１ｄを示すものである。各画のコピー１３等を立体印刷像１４にすることにより画像がもり上り美観の向上が図れると共に、より見易くなる効果を上げることができる。なお、この立体印刷は公示技術であり比較的簡便に行うことができる。
【００１９】
図１乃至図５は有用情報の数例を示したものであるが、図６は本発明の使用方法のフローを説明するものである。まず、配布者は自分の使用する袋体に有用情報を印刷掲載することを印刷希望者側に知らせる（ステップ１００）。印刷希望者はこれに基づき自社の必要とする有用情報の印刷広告を配布者に申し込む（ステップ１０１）。これにより、配布者はその有用情報を自信の袋体の主に裏面に印刷する（ステップ１０２）。勿論、この有用情報は印刷希望者の依頼内容に限定するものではなく、配布者側としても任意に設定する場合もある。印刷希望者から掲載費用を受け取ってもよく、無料掲載でもよい。次に、配布者は配布者側は商品を袋体に入れ、商品購入の利用者に袋体をわたす（ステップ１０３）。利用者はこれにより、袋体の裏面のサービスを受けることができる（ステップ１０４）。以上のフローでは配布者と印刷希望者とが同一人でないが、同一人であってもよい。
【産業上の利用可能性】
【００２０】
本発明は書類等を収納する袋体の有効利用を主目的とするものであり、袋体としては封筒に限らずすべての収納用袋体に対して適用され、その利用範囲は極めて広い。特に、省資源化に貢献でき、環境保全にも貢献できるものである。
【図面の簡単な説明】
【００２１】
【図１】本発明の実施例の１つを示す模式的斜視図。
【図２】本発明の別の実施例を示す平面図。
【図３】本発明の更に別の実施例を示す平面図。
【図４】印刷情報としてサービス情報でなく観賞情報によって利用者にサービスを提供する実施例を示す模式的斜視図。
【図５】図４に示すものを立体印刷によって形成した実施例を説明するための模式的斜視図。
【図６】本発明のフローを説明するためのフローチャート。
【符号の説明】
【００２２】
１      袋体
１ａ    袋体
１ｂ    袋体
１ｃ    袋体
１ｄ    袋体
２      表面
３      裏面
４      封止片
５      書類
６      空間
７ａ    印刷情報
７ｂ    印刷情報
７ｃ    印刷情報
７ｄ    印刷情報
７ｅ    印刷情報
７ｆ    印刷情報
８ａ    文字情報
８ｂ    文字情報
８ｅ    文字情報
９ａ    サービス情報
９ｂ    サービス情報
９ｅ    サービス情報
１０ｃ  絵柄
１０ｄ  絵柄
１０ｆ  絵柄
１１ｃ  サービス情報
１１ｄ  サービス情報
１１ｆ  サービス情報
１２    ミシン目
１３    各画のコピー等
１４    立体印刷像
【図１】
2005280843.tif 000003
【図２】
2005280843.tif 000004
【図３】
2005280843.tif 000005
【図４】
2005280843.tif 000006
【図５】
2005280843.tif 000007
【図６】
2005280843.tif 000008